(57)【要約】【課題】ユーザ毎の店舗内の移動履歴を関連付けて処理しているので、ユーザの移動パターンに基づく購買分析をすること。【解決手段】ユーザが携帯する通信機器から、ユーザを識別するユーザ識別子および通信機器が受信した近距離通信信号に含まれる信号識別子の履歴を受信して、ユーザの移動履歴を生成する移動履歴生成部と、購買処理を行なう決済機器から、ユーザの購買処理に基づいてユーザ識別子および購買データを受信して、ユーザの購買結果を生成する購買結果生成部と、ユーザ識別子に対応付けて、ユーザの移動履歴とユーザの購買結果とを蓄積するユーザ履歴蓄積部と、を備える。【選択図】  図１
2018067092.tif 000002
【特許請求の範囲】
【請求項１】
ユーザが携帯する通信機器から、前記ユーザを識別するユーザ識別子および前記通信機器が受信した近距離通信信号に含まれる信号識別子の履歴を受信して、前記ユーザの移動履歴を生成する移動履歴生成手段と、
購買処理を行なう決済機器から、前記ユーザの購買処理に基づいて前記ユーザ識別子および購買データを受信して、前記ユーザの購買結果を生成する購買結果生成手段と、
前記ユーザ識別子に対応付けて、前記ユーザの移動履歴と前記ユーザの購買結果とを蓄積するユーザ履歴蓄積手段と、
を備える情報処理装置。
【請求項２】
前記ユーザ識別子に対応付けて、少なくとも前記ユーザの属性を格納する属性格納手段と、
前記属性格納手段に格納されたユーザの属性に応じて、前記ユーザ履歴蓄積手段に蓄積された移動履歴と購買結果とを統計処理することによって、購買に結び付くユーザの移動パターンを生成する移動パターン生成手段と、
をさらに備える請求項１に記載の情報処理装置。
【請求項３】
前記移動パターン生成手段は、前記統計処理によって移動履歴と購買結果との関連性を生成し、前記関連性に基づいて、購買に結び付くユーザの移動パターンを生成する、請求項２に記載の情報処理装置。
【請求項４】
前記ユーザ履歴蓄積手段は、前記ユーザの移動履歴と前記ユーザの購買結果とを蓄積した日時をさらに記憶し、
前記移動パターン生成手段は、さらに前記日時に応じて統計処理することによって、購買に結び付くユーザの移動パターンを生成する、請求項２または３に記載の情報処理装置。
【請求項５】
前記ユーザ履歴蓄積手段は、前記ユーザの移動履歴と前記ユーザの購買結果とを蓄積した日時の天候を含む環境情報をさらに記憶し、
前記移動パターン生成手段は、さらに前記環境情報に応じて統計処理することによって、購買に結び付くユーザの移動パターンを生成する、請求項２乃至４のいずれか１項に記載の情報処理装置。
【請求項６】
前記移動パターン生成手段は、前記ユーザ履歴蓄積手段に蓄積された移動履歴と購買結果とを統計処理することによって、さらに、購買に結び付かないユーザの移動パターンを生成する、請求項２乃至５のいずれか１項に記載の情報処理装置。
【請求項７】
前記移動パターン生成手段が生成した、購買に結び付くユーザの移動パターンと購買に結び付かないユーザの移動パターンとを参照して、ユーザの移動履歴中の、購買に結び付くか結び付かないかの分岐位置を抽出する抽出手段を、さらに備える請求項６に記載の情報処理装置。
【請求項８】
ユーザが携帯する通信機器から、前記ユーザを識別するユーザ識別子および前記通信機器が受信した近距離通信信号に含まれる信号識別子の履歴を受信して、前記ユーザの移動履歴を生成する移動履歴生成ステップと、
購買処理を行なう決済機器から、前記ユーザの購買処理に基づいて前記ユーザ識別子および購買データを受信して、前記ユーザの購買結果を生成する購買結果生成ステップと、
前記ユーザ識別子に対応付けて、前記ユーザの移動履歴と前記ユーザの購買結果とをユーザ履歴蓄積手段に蓄積するユーザ履歴蓄積ステップと、
を含む情報処理方法。
【請求項９】
ユーザが携帯する通信機器から、前記ユーザを識別するユーザ識別子および前記通信機器が受信した近距離通信信号に含まれる信号識別子の履歴を受信して、前記ユーザの移動履歴を生成する移動履歴生成ステップと、
購買処理を行なう決済機器から、前記ユーザの購買処理に基づいて前記ユーザ識別子および購買データを受信して、前記ユーザの購買結果を生成する購買結果生成ステップと、
前記ユーザ識別子に対応付けて、前記ユーザの移動履歴と前記ユーザの購買結果とをユーザ履歴蓄積手段に蓄積するユーザ履歴蓄積ステップと、
をコンピュータに実行させる情報処理プログラム。
【請求項１０】
店舗内に配置された近距離通信信号を発信する複数の発信機と、
ユーザが携帯する通信機器と、
前記店舗において購買処理を行なう決済機器と、
前記通信機器および前記決済機器と通信接続されて、前記近距離通信信号に基づいて前記店舗におけるユーザの移動パターンを分析する情報処理装置と、
を備える情報処理システムであって、
前記情報処理装置は、
前記通信機器から、前記ユーザを識別するユーザ識別子および前記通信機器が受信した前記近距離通信信号に含まれる信号識別子の履歴を受信して、前記ユーザの移動履歴を生成する移動履歴生成手段と、
前記決済機器から、前記ユーザの購買処理に基づいて前記ユーザ識別子および購買データを受信して、前記ユーザの購買結果を生成する購買結果生成手段と、
前記ユーザ識別子に対応付けて、前記ユーザの移動履歴と前記ユーザの購買結果とを蓄積するユーザ履歴蓄積手段と、
前記ユーザ識別子に対応付けて、少なくとも前記ユーザの属性を格納する属性格納手段と、
前記属性格納手段に格納されたユーザの属性に応じて、前記ユーザ履歴蓄積手段に蓄積された移動履歴と購買結果とを統計処理することによって、購買に結び付くユーザの移動パターンを生成する移動パターン生成手段と、
を有する情報処理システム。
【発明の詳細な説明】
【技術分野】
【０００１】
本発明は、店舗内でのユーザの移動パターンを処理する技術に関する。
【背景技術】
【０００２】
上記技術分野において、特許文献１には、顧客ＩＤに対応付けて、店舗内の各エリアでの滞在時間と、各エリアでの購入金額と、各エリアでの店員の接客人数と、を蓄積して、この蓄積情報を用いて店舗構成や店員配置を再構成する技術が開示されている。
【先行技術文献】
【特許文献】
【０００３】
【特許文献１】特開２０１４−０８１７５０号公報
【発明の概要】
【発明が解決しようとする課題】
【０００４】
しかしながら、上記文献に記載の技術では、顧客（ユーザ）毎の店舗内の移動履歴を関連付けて処理しないので、顧客（ユーザ）の移動パターンに基づく購買分析をすることができなかった。
【０００５】
本発明の目的は、上述の課題を解決する技術を提供することにある。
【課題を解決するための手段】
【０００６】
上記目的を達成するため、本発明に係る情報処理装置は、
ユーザが携帯する通信機器から、前記ユーザを識別するユーザ識別子および前記通信機器が受信した近距離通信信号に含まれる信号識別子の履歴を受信して、前記ユーザの移動履歴を生成する移動履歴生成手段と、
購買処理を行なう決済機器から、前記ユーザの購買処理に基づいて前記ユーザ識別子および購買データを受信して、前記ユーザの購買結果を生成する購買結果生成手段と、
前記ユーザ識別子に対応付けて、前記ユーザの移動履歴と前記ユーザの購買結果とを蓄積するユーザ履歴蓄積手段と、
を備える。
【０００７】
上記目的を達成するため、本発明に係る情報処理方法は、
ユーザが携帯する通信機器から、前記ユーザを識別するユーザ識別子および前記通信機器が受信した近距離通信信号に含まれる信号識別子の履歴を受信して、前記ユーザの移動履歴を生成する移動履歴生成ステップと、
購買処理を行なう決済機器から、前記ユーザの購買処理に基づいて前記ユーザ識別子および購買データを受信して、前記ユーザの購買結果を生成する購買結果生成ステップと、
前記ユーザ識別子に対応付けて、前記ユーザの移動履歴と前記ユーザの購買結果とをユーザ履歴蓄積手段に蓄積するユーザ履歴蓄積ステップと、
を含む。
【０００８】
上記目的を達成するため、本発明に係る情報処理プログラムは、
ユーザが携帯する通信機器から、前記ユーザを識別するユーザ識別子および前記通信機器が受信した近距離通信信号に含まれる信号識別子の履歴を受信して、前記ユーザの移動履歴を生成する移動履歴生成ステップと、
購買処理を行なう決済機器から、前記ユーザの購買処理に基づいて前記ユーザ識別子および購買データを受信して、前記ユーザの購買結果を生成する購買結果生成ステップと、
前記ユーザ識別子に対応付けて、前記ユーザの移動履歴と前記ユーザの購買結果とをユーザ履歴蓄積手段に蓄積するユーザ履歴蓄積ステップと、
をコンピュータに実行させる。
【０００９】
上記目的を達成するため、本発明に係る情報処理システムは、
店舗内に配置された近距離通信信号を発信する複数の発信機と、
ユーザが携帯する通信機器と、
前記店舗において購買処理を行なう決済機器と、
前記通信機器および前記決済機器と通信接続されて、前記近距離通信信号に基づいて前記店舗におけるユーザの移動パターンを分析する情報処理装置と、
を備える情報処理システムであって、
前記情報処理装置は、
前記通信機器から、前記ユーザを識別するユーザ識別子および前記通信機器が受信した前記近距離通信信号に含まれる信号識別子の履歴を受信して、前記ユーザの移動履歴を生成する移動履歴生成手段と、
前記決済機器から、前記ユーザの購買処理に基づいて前記ユーザ識別子および購買データを受信して、前記ユーザの購買結果を生成する購買結果生成手段と、
前記ユーザ識別子に対応付けて、前記ユーザの移動履歴と前記ユーザの購買結果とを蓄積するユーザ履歴蓄積手段と、
前記ユーザ識別子に対応付けて、少なくとも前記ユーザの属性を格納する属性格納手段と、
前記属性格納手段に格納されたユーザの属性に応じて、前記ユーザ履歴蓄積手段に蓄積された移動履歴と購買結果とを統計処理することによって、購買に結び付くユーザの移動パターンを生成する移動パターン生成手段と、
を有する。
【発明の効果】
【００１０】
本発明によれば、ユーザ毎の店舗内の移動履歴を関連付けて処理するので、ユーザの移動パターンに基づく購買分析をすることができる。
【図面の簡単な説明】
【００１１】
【図１】本発明の第１実施形態に係る情報処理装置の構成を示すブロック図である。
【図２】本発明の第２実施形態に係る情報処理装置の処理の概要を示す図である。
【図３】本発明の第２実施形態に係る情報処理装置の機能構成を含む情報処理システムの構成を示すブロック図である。
【図４】本発明の第２実施形態に係る情報処理装置を含む情報処理システムの動作手順を示すシーケンス図である。
【図５】本発明の第２実施形態に係る移動履歴テーブルの構成を示す図である。
【図６】本発明の第２実施形態に係る購買結果テーブルの構成を示す図である。
【図７】本発明の第２実施形態に係るユーザ履歴蓄積データベースの構成を示す図である。
【図８】本発明の第２実施形態に係る属性格納テーブルの構成を示す図である。
【図９Ａ】本発明の第２実施形態に係る上位（ベスト）の移動パターンテーブルの生成を示す図である。
【図９Ｂ】本発明の第２実施形態に係る中位の移動パターンテーブルの生成を示す図である。
【図９Ｃ】本発明の第２実施形態に係る推奨移動パターンテーブルの生成を示す図である。
【図１０】本発明の第２実施形態に係る情報処理装置のハードウェア構成を示すブロック図である。
【図１１Ａ】本発明の第２実施形態に係る情報処理装置の処理手順を示すフローチャートである。
【図１１Ｂ】本発明の第２実施形態に係る移動パターン解析処理の手順を示すフローチャートである。
【図１２Ａ】本発明の第３実施形態に係る下位（ワースト）の移動パターンテーブルの生成を示す図である。
【図１２Ｂ】本発明の第３実施形態に係る変更条件テーブルの生成を示す図である。
【図１３】本発明の第３実施形態に係る移動パターン解析処理の手順を示すフローチャートである。
【図１４】本発明の第４実施形態に係るユーザ履歴蓄積データベースの構成を示す図である。
【図１５】本発明の第５実施形態に係るユーザ履歴蓄積データベースの構成を示す図である。
【発明を実施するための形態】
【００１２】
以下に、図面を参照して、本発明の実施の形態について例示的に詳しく説明する。ただし、以下の実施の形態に記載されている構成要素は単なる例示であり、本発明の技術範囲をそれらのみに限定する趣旨のものではない。なお、本明細書で使用する「第ｘエリアの売場」には、販売商品の種類と店舗内の販売位置とを含むものとして使用されている。
【００１３】
［第１実施形態］
本発明の第１実施形態としての情報処理装置１００について、図１を用いて説明する。情報処理装置１００は、店舗内でのユーザの移動パターンを処理する装置である。
【００１４】
図１に示すように、情報処理装置１００は、移動履歴生成部１０１と、購買結果生成部１０２と、ユーザ履歴蓄積部１０３と、を含む。移動履歴生成部１０１は、ユーザが携帯する通信機器１１０から、ユーザを識別するユーザ識別子および通信機器が受信した近距離通信信号（１２０）に含まれる信号識別子の履歴を受信して、ユーザの移動履歴を生成する。購買結果生成部１０２は、購買処理を行なう決済機器１３０から、ユーザの購買処理に基づいてユーザ識別子および購買データを受信して、ユーザの購買結果を生成する。ユーザ履歴蓄積部１０３は、ユーザ識別子に対応付けて、ユーザの移動履歴とユーザの購買結果とを蓄積する。
【００１５】
本実施形態によれば、ユーザ識別子に対応付けて、ユーザの移動履歴とユーザの購買結果とを蓄積するので、ユーザの移動パターンに基づく購買分析をすることができる。
【００１６】
［第２実施形態］
次に、本発明の第２実施形態に係る情報処理装置について説明する。本実施形態に係る情報処理装置は、ユーザ識別子に対応付けて、店舗におけるユーザの移動履歴とユーザの購買結果とを蓄積し、蓄積された移動履歴と購買結果とを統計処理することによって、購買に結び付くユーザの移動パターンを生成する。具体的には、企業が発行済の会員カードＩＤを連結キーとして、ユーザがスマートフォンにインストールするアプリケーションにこれを入力し、店内に設置したビーコン端末（ビーコン発信機）に関連付けられて得たＰＯＳ(Point of Sales)上の売上部門データおよび店内動線および購買結果を収集する。そして、移動特性（行動特性）および購買効果を解析し、ユーザの適切な移動パターンを予測して提示する。なお、ユーザを特定する識別子は会員カードＩＤに限定されず、他のユーザを特定する情報を使用可能である。
【００１７】
さらに、ユーザ識別子に対応付けて、少なくとも前記ユーザの属性を格納し、ユーザの属性に応じて、購買に結び付くユーザの移動パターンを生成する。すなわち、統計処理によって移動履歴と購買結果との関連性を生成し、関連性に基づいて購買に結び付くユーザの移動パターンを生成する。
【００１８】
さらに、ユーザの移動履歴とユーザの購買結果とを蓄積した日時をさらに記憶し、日時に応じて統計処理することによって、購買に結び付くユーザの移動パターンを生成する。また、ユーザの移動履歴とユーザの購買結果とを蓄積した日時の天候を含む環境情報をさらに記憶し、環境情報に応じて統計処理することによって、購買に結び付くユーザの移動パターンを生成する。
【００１９】
《情報処理装置の処理の概要》
図２は、本実施形態に係る情報処理装置の処理の概要を示す図である。
【００２０】
店舗２１０には、ビーコン発信機ａ１〜ｅ２を設置する。ユーザ単位の店舗内の移動パターン２３０は、ユーザが携帯する通信端末がビーコン信号を受信した場合の、ユーザＩＤに対応付けられたタイムスタンプやビーコン信号ＩＤに基づいて生成される。一方、ユーザ単位の購買データ２２０は、ＰＯＳによる決済がされた場合に生成される。
【００２１】
ユーザ単位の店舗内の移動パターン２３０とユーザ単位の購買データ２２０とはユーザＩＤで結び付けられ、さらに、ユーザの属性なども参照されてユーザの店舗内の移動パターンと購買金額とが関連付けられて、少なくとも売場配置の評価と売場配置との提示を行なう（２４０）。
【００２２】
《情報処理システム》
図３および図４を参照して、本実施形態に係る情報処理装置３１０を含む情報処理システム３００の構成および動作を説明する。
【００２３】
（構成）
図３は、本実施形態に係る情報処理装置３１０の機能構成を含む情報処理システム３００の構成を示すブロック図である。
【００２４】
情報処理システム３００は、情報処理装置３１０と、店舗内に設置されたビーコン発信機３２０と、情報処理装置３１０と通信接続されたユーザが携帯する通信端末３３０と、情報処理装置３１０と通信接続された決済機器としてのＰＯＳ３４０と、を備える。
【００２５】
情報処理装置３１０は、ビーコンを受信した通信端末３３０から収集したユーザの店舗内での移動履歴と、ＰＯＳ３４０から収集したユーザの購買結果と、からユーザの移動パターンを解析して、推奨移動パターンおよび推奨売場配置を提示する。ビーコン発信機３２０は、店舗内にユーザの移動履歴を収集可能なように、ビーコン信号の影ができないように設置される。通信端末３３０は、情報処理装置３１０から提供された移動パターン解析を含むアプリケーションを配信されて、ビーコン発信機３２０からのビーコン信号を受信すると、ユーザＩＤとビーコン信号ＩＤとを情報処理装置３１０に送信する。ＰＯＳ３４０は、ユーザが購買品の決済をした場合に、ユーザＩＤと購買情報（購買商品、単価、数量、金額）とを情報処理装置３１０に送信する。
【００２６】
クラウドサーバとしての情報処理装置３１０は、移動履歴生成部３１１と、購買結果生成部３１２と、ユーザ履歴蓄積データベース３１３と、属性格納部３１４と、移動パターン生成部３１５と、を備える。移動履歴生成部３１１は、通信端末３３０から収集したユーザＩＤとビーコン信号ＩＤとの組から、ユーザＩＤに対応付けた店舗内の移動履歴テーブルを生成する。購買結果生成部３１２はＰＯＳ３４０から収集したユーザＩＤと購買情報との組から、ユーザＩＤに対応付けた購買結果テーブルを生成する。ユーザ履歴蓄積データベース３１３は、移動履歴生成部３１１が生成したユーザの移動履歴と、購買結果生成部３１２が生成したユーザの購買結果とを、ユーザＩＤにより結びつけた、店舗におけるユーザ履歴を蓄積する。属性格納部３１４は、ユーザＩＤに対応付けてユーザ属性を格納する。なお、属性格納部３１４は、あらかじめユーザ登録時に格納されたユーザ属性に加えて、情報処理装置３１０が分析してユーザに割り当てたユーザ属性も格納する。移動パターン生成部３１５は、ユーザ履歴蓄積データベース３１３に蓄積されたユーザ履歴と、属性格納部３１４に格納されたユーザ属性とから、ユーザの移動パターンテーブル３５１を生成する。移動パターン生成部３１５は、さらに、推奨移動パターンや推奨売場配置を提示する。
【００２７】
（動作シーケンス）
図４は、本実施形態に係る情報処理装置３１０を含む情報処理システム３００の動作手順を示すシーケンス図である。
【００２８】
クラウドサーバとしての情報処理装置３１０は、ステップＳ４０１において、決済機としてのＰＯＳ３４０およびスマートフォンを含むユーザが携帯する通信端末３３０に、移動パターン解析アプリケーションを含むアプリケーションを配信する。そして、情報処理装置３１０とＰＯＳ３４０と通信端末３３０とは、ステップＳ４０３において、移動パターン解析アプリケーションを含むアプリケーションを起動する。
【００２９】
通信端末３３０は、ステップＳ４０５において、店舗内のビーコン発信機３２０からのビーコンを受信すると、ステップＳ４０７において、ユーザＩＤに対応付けてビーコン信号ＩＤを情報処理装置３１０に送信する。情報処理装置３１０は、ステップＳ４０９において、ユーザＩＤに対応付けて、ビーコン受信のタイムスタンプ、ビーコン信号ＩＤに対するビーコン発信機３２０の位置情報を、ユーザ履歴蓄積データベース３１３に格納する。その後、店舗内の他のビーコン発信機３２０からのビーコンを受信すると、ステップＳ４１１〜Ｓ４１５でステップＳ４０５〜Ｓ４０９の処理が繰り返される。
【００３０】
ユーザが、ステップＳ４１７において、ＰＯＳ３４０で購買のための決済処理をすると、ＰＯＳ３４０は、ステップＳ４１９において、ユーザＩＤに対応付けて購買品、購買金額、購買品の売場などの購買明細を情報処理装置３１０に送信する。情報処理装置３１０は、ステップＳ４２１において、ユーザＩＤに対応付けて、購買金額、購買品の売場位置情報を、ユーザ履歴蓄積データベース３１３に格納する。
【００３１】
情報処理装置３１０は、ステップＳ４３１において、所定期間、例えば、１日、１週間、１ヶ月、３ヶ月（季節）を単位に、ユーザ履歴蓄積データベース３１３に蓄積された、ユーザＩＤに対応付けられた、ユーザの店舗内の移動履歴とユーザの購買結果とから移動パターンと購買額の関連を解析する。そして、推奨移動パターンやそのための推奨売場配置、あるいは、特売などのイベントや特典（クーポン）などをユーザの動線管理として提示する。
【００３２】
（移動履歴テーブル）
図５は、本実施形態に係る移動履歴テーブル５００の構成を示す図である。移動履歴テーブル５００は、移動履歴生成部３１１が、ユーザが携帯する通信端末３３０からのビーコン受信通知に基づいてユーザに対応付けて生成し、ユーザ履歴蓄積データベース３１３に格納される。
【００３３】
移動履歴テーブル５００は、ユーザＩＤ５０１に対応付けて、複数のビーコン信号を受信したタイムスタンプ５０２と、そのビーコン信号ＩＤ５０３と、ビーコン信号ＩＤ５０３に対応するビーコン発信機の位置５０４と、を記憶する。なお、同じビーコン信号の受信時間からユーザの滞在時間を計測してもよい。
【００３４】
（購買結果テーブル）
図６は、本実施形態に係る購買結果テーブル６００の構成を示す図である。購買結果テーブル６００は、購買結果生成部３１２が、ＰＯＳ３４０からのユーザの決済処理の通知に基づいてユーザに対応付けて生成し、ユーザ履歴蓄積データベース３１３に格納される。
【００３５】
購買結果テーブル６００は、ユーザＩＤ６０１とユーザが決済処理をしたタイムスタンプ６０２とに対応付けて、複数の購買品情報６０３と、精算額６０４と、を記憶する。ここで、購買品情報６０３は、商品ＩＤ、商品配置エリア（売場）、単価、購買個数などを含む。
【００３６】
（ユーザ履歴蓄積データベース）
図７は、本実施形態に係るユーザ履歴蓄積データベース３１３の構成を示す図である。ユーザ履歴蓄積データベース３１３は、上述の移動履歴テーブル５００および購買結果テーブル６００を蓄積し、それらがユーザＩＤにより連結されたデータベースを生成して蓄積する。
【００３７】
ユーザ履歴蓄積データベース３１３は、ユーザＩＤ７０１に対応付けて、購買日時や曜日７０２と、購買日時の天気などの環境情報７０３と、ユーザ移動履歴７０４と、ユーザ購買履歴７０５と、精算額７０６と、を格納する。
【００３８】
ユーザ移動履歴７０４は、各売場エリアに対応してユーザが滞在したタイムスタンプを記憶する。ユーザ購買履歴７０５は、各売場における購買商品、単価、個数などを記憶する。
【００３９】
（属性格納テーブル）
図８は、本実施形態に係る属性格納テーブル３１４の構成を示す図である。属性格納テーブル３１４は、ユーザの属性を記憶し、移動パターンの解析に用いられる。
【００４０】
属性格納テーブル３１４は、ユーザＩＤ８０１に対応付けて、一般属性８０２と、分析属性８０３と、を記憶する。一般属性８０２には、例えば、年令、性別、住所、家族構成などが含まれる。分析属性８０３には、来店頻度、購買平均、嗜好などのユーザの行動からの分析結果が含まれる。
【００４１】
（上位の移動パターンテーブル）
図９Ａは、本実施形態に係る上位（ベスト）の移動パターンテーブル３５１ａの生成を示す図である。上位の移動パターンテーブル３５１ａは、ユーザ履歴蓄積データベース３１３に蓄積されたユーザ単位の履歴データから、精算額（購買金額）が多い順に、その店舗内の移動履歴と購買履歴とを関連付けて、その関連性から高額購買者の移動パターンを解析するために使用される。
【００４２】
上位の移動パターンテーブル３５１ａは、高額購買者の移動購買パターンテーブル９１０と、高額購買者の移動パターンの解析結果テーブル９２０と、を含む。
【００４３】
移動購買パターンテーブル９１０は、精算額９１１の上位からの降順で所定数に対して、ユーザ移動購買履歴９１２と、日時曜日９１３と、環境情報（天気を含む）９１４と、を記憶する。ここで、ユーザ移動購買履歴９１２は、ユーザ履歴蓄積データベース３１３に蓄積されたユーザ移動履歴７０４とユーザ購買履歴とをユーザ単位で統合したものである。
【００４４】
解析結果テーブル９２０は、高額購買パターンＩＤ９２１として、高額購買に結び付くユーザの移動パターンを記憶する。本例では、ユーザが第ｉエリアを最初に立ち寄り、第ｉエリアの売場以降に第ｊエリアの売場を立ち寄った場合が、高額購買に結び付くと解析される。
【００４５】
なお、上記解析例は、単純な一例であって、例えば、万を超えるユーザの移動履歴と購買履歴との解析から、十分に高額購買に結び付くユーザの移動パターンが解析される。
【００４６】
（中位の移動パターンテーブル）
図９Ｂは、本実施形態に係る中位の移動パターンテーブル３５１ｂの生成を示す図である。中位の移動パターンテーブル３５１ｂは、ユーザ履歴蓄積データベース３１３に蓄積されたユーザ単位の履歴データから、精算額（購買金額）が中位あるいは平均、あるいはその下のユーザについて、その店舗内の移動履歴と購買履歴とを関連付けて、その関連性から中位購買者の移動パターンを解析するために使用される。
【００４７】
中位の移動パターンテーブル３５１ｂは、中位購買者の移動購買パターンテーブル９３０と、中位購買者の移動パターンの解析結果テーブル９４０と、を含む。
【００４８】
移動購買パターンテーブル９３０は、精算額１９３１の中位の所定数に対して、ユーザ移動購買履歴９１２と、日時曜日９１３と、環境情報（天気を含む）９１４と、を記憶する。ここで、ユーザ移動購買履歴９１２は、ユーザ履歴蓄積データベース３１３に蓄積されたユーザ移動履歴７０４とユーザ購買履歴とをユーザ単位で統合したものである。
【００４９】
解析結果テーブル９４０は、中位購買パターンＩＤ９４１として、中位購買になるユーザの移動パターンを記憶する。本例では、ユーザが第ｉエリアと第ｍエリアを立ち寄っているが、順序には規則性が無い場合が、中位購買になると解析される。
【００５０】
なお、上記解析例は、単純な一例であって、例えば、万を超えるユーザの移動履歴と購買履歴との解析から、十分に中位購買になるユーザの移動パターンが解析される。
【００５１】
（推奨移動パターンの生成）
図９Ｃは、本実施形態に係る推奨移動パターンテーブル９５０の生成を示す図である。推奨移動パターンテーブル９５０は、上述の高額購買の移動パターンを示す解析結果テーブル９２０と、中位購買の移動パターンを示す解析結果テーブル９４０とを比較検討して、解析結果テーブル９４０に示された中位購買の移動パターンを解析結果テーブル９２０に示された高額購買の移動パターンに変更する情報を提示するために使用される。
【００５２】
推奨移動パターンテーブル９５０は、推奨移動パターン９５１と、推奨売場配置９５２と、を含む。例えば、本例では、推奨移動パターン９５１には、第ｉエリアの売場と第ｊエリアの売場とをこの順に立ち寄る移動パターンが、中位購買者を高額購買者とする目標として抽出される。推奨売場配置９５２には、例えば、店舗の入口に近い位置に第ｉエリアの売場を配置し、その先に続けて第ｊエリアの売場を配置することが提示される。
【００５３】
なお、上記提示例は、単純な一例であって、例えば、万を超えるユーザの移動履歴と購買履歴との解析から、十分にユーザの推奨移動パターンや推奨売場配置の提示が可能である。また、図９Ｃでは、推奨移動パターンと推奨売場配置とを示したが、推奨移動パターンを実現する方法としては、売場配置は変更せずあるいは変更を最小限に抑え、特売品の配置や通路の変更、あるいは、特典（クーポンなど）により、ユーザを推奨移動パターンに誘導することによっても実現できる。
【００５４】
《情報処理装置のハードウェア構成》
図１０は、本実施形態に係る情報処理装置３１０のハードウェア構成を示すブロック図である。
【００５５】
図１０で、ＣＰＵ(Central Processing Unit)１０１０は演算制御用のプロセッサであり、プログラムを実行することで図３の情報処理装置３１０の機能構成部を実現する。ＣＰＵ１０１０は複数のプロセッサを有し、異なるプログラムやモジュール、タスク、スレッドなどを並行して実行してもよい。ＲＯＭ(Read Only Memory)１０２０は、初期データおよびプログラムなどの固定データおよびプログラムを記憶する。ネットワークインタフェース１０３０は、ネットワークを介して、ユーザが携帯する通信端末３３０やＰＯＳ３４０との通信を制御する。
【００５６】
ＲＡＭ(Random Access Memory)１０４０は、ＣＰＵ１０１０が一時記憶のワークエリアとして使用するランダムアクセスメモリである。ＲＡＭ１０４０には、本実施形態の実現に必要なデータを記憶する領域が確保されている。移動履歴テーブル５００は、図５に示したように、ユーザ単位に店舗内での移動履歴を記憶する。購買結果テーブル６００は、図６に示したように、ユーザ単位にユーザの購買履歴を記憶する。移動パターンテーブル３５１ａは、図９Ａに示したように、解析結果から生成された高額購買（ベストともいう）の移動パターンを記憶する。移動パターンテーブル３５１ｂは、図９Ｂに示したように、解析結果から生成された中位購買の移動パターンを記憶する。推奨移動パターンおよび推奨売場配置は、図９Ｃに示したように、移動パターンテーブル３５１ａと移動パターンテーブル３５１ｂとの比較から、中位購買者を高額購買者に近付けるための提示情報を記憶する。送受信データ１０４１は、ネットワークインタフェース１０３０を介してユーザが携帯する通信端末３３０やＰＯＳ３４０と送受信するデータである。
【００５７】
ストレージ１０５０は、データベースや各種のパラメータ、あるいは本実施形態の実現に必要な以下のデータまたはプログラムが記憶されている。ユーザ履歴蓄積データベース３１３は、図７に示したように、ユーザ単位にユーザの移動履歴および購買履歴を関連付けて格納する。属性格納テーブル３１４は、図８に示したように、各ユーザの属性を格納する。
【００５８】
ストレージ１０５０には、以下のプログラムが格納される。情報処理プログラム１０５１は、情報処理装置３１０の全体を制御するためのプログラムである。移動履歴生成モジュール１０５２は、ユーザが携帯する通信端末３３０からのビーコン受信の通知からユーザ単位の店舗内の移動履歴を生成するモジュールである。ユーザ履歴蓄積モジュール１０５３は、ユーザ単位の店舗内の移動履歴とユーザ単位のＰＯＳ３４０からの購買情報とをユーザＩＤで結びつけて、ユーザ履歴をユーザ履歴蓄積データベース３１３に蓄積するモジュールである。移動パターン解析モジュール１０５４は、ユーザ履歴蓄積データベース３１３に蓄積されたユーザ履歴とユーザ属性とに基づいて、購買レベルに応じた移動パターンを解析するモジュールである。推奨移動パターン／推奨売場配置生成モジュール１０５５は、購買レベルの応じた移動パターンを比較検討して、中位購買者を高額購買者に近付けるための推奨移動パターンおよび推奨売場配置を生成するモジュールである。
【００５９】
なお、図１０のＲＡＭ１０４０やストレージ１０５０には、情報処理装置３１０が有する汎用の機能や他の実現可能な機能に関連するプログラムやデータは図示されていない。
【００６０】
《情報処理装置の処理手順》
図１１Ａは、本実施形態に係る情報処理装置３１０の処理手順を示すフローチャートである。このフローチャートは、ＣＰＵ１０１０がＲＡＭ１０４０を使用して実行し、図３の情報処理装置３１０の機能構成部を実現する。
【００６１】
情報処理装置３１０は、ステップＳ１１０１において、移動パターン解析アプリを含むアプリケーションを、ユーザが携帯する通信端末３３０やＰＯＳ３４０に配信する。情報処理装置３１０は、ステップＳ１１０３において、移動パターン解析アプリを含むアプリケーションを起動する。
【００６２】
情報処理装置３１０は、ステップＳ１１０５において、通信端末３３０からのビーコン受信通知の受信を待って、ビーコン受信通知を受信すると、情報処理装置３１０は、ステップＳ１１０７において、ユーザＩＤとビーコン信号ＩＤとを対応付けて取得する。そして、情報処理装置３１０は、ステップＳ１１０９において、ユーザＩＤに対応付けて、ビーコン受信のタイムスタンプと、ビーコンＩＤに対する位置情報とを、ユーザ履歴蓄積データベース３１３に蓄積する。情報処理装置３１０は、ステップＳ１１１１において、ＰＯＳ３４０からの決済通知の受信を待ち、決済通知の受信がなければ、情報処理装置３１０は、ステップＳ１１０５に戻って、ユーザの携帯する通信端末３３０が次のビーコンを受信するのを待つ。
【００６３】
決済通知の受信があれば、情報処理装置３１０は、ステップＳ１１１３において、ユーザＩＤに対応付けて、購買額やそれぞれの購買位置をユーザ履歴蓄積データベース３１３に蓄積する。
【００６４】
情報処理装置３１０は、ステップＳ１１１５において、移動パターンの解析タイミングか否かを判定する。解析タイミングは、例えば、来店ユーザが多ければ１日単位、あるいは、１週単位、来店ユーザが少なければ１月単位、季節単位（３ヶ月単位）、あるいは、売上に急激な変化などのタイミングを含む。移動パターンの解析タイミングでなければ、情報処理装置３１０は、ステップＳ１１０５に戻って、ユーザの携帯する通信端末３３０が次のビーコンを受信するのを待つ。
【００６５】
移動パターンの解析タイミングであれば、情報処理装置３１０は、ステップＳ１１１７において、移動パターン解析処理として、ユーザ履歴蓄積データベース３１３を参照してユーザの移動パターンを解析し、推奨移動パターンと推奨売場配置を生成して提示する。
【００６６】
なお、図１１Ａにおいては、あるユーザについてのユーザが携帯する通信端末３３０からの受信と、ＰＯＳ３４０からの受信をシーケンスに並べたが、普通はこれらをパラレルに並べて並列に実行する構成である。
【００６７】
（移動パターン解析処理）
図１１Ｂは、本実施形態に係る移動パターン解析処理（Ｓ１１１７）の手順を示すフローチャートである。
【００６８】
情報処理装置３１０は、ステップＳ１１２１において、ユーザ履歴蓄積データベース３１３からユーザの移動パターンの履歴を読み出す。情報処理装置３１０は、ステップＳ１１２３において、高額購買ユーザの移動パターンを統計的に解析し、ベストなユーザの移動パターンを生成する。また、情報処理装置３１０は、ステップＳ１１２５において、中位購買ユーザの移動パターンを統計的に解析し、中位の（あるいは、平均的な）ユーザの移動パターンを生成する。
【００６９】
情報処理装置３１０は、ステップＳ１１２７において、中位の移動パターンをベストの移動パターンに近付けるための推奨移動パターンを生成して提示する。そして、情報処理装置３１０は、ステップＳ１１２９において、推奨移動パターンを実現するための売場配置や特典サービスなどを提示する。
【００７０】
本実施形態によれば、ユーザ識別子に対応付けて、ユーザの移動履歴とユーザの購買結果とを蓄積して、ユーザの移動パターンに基づく購買分析をすることにより、ユーザの推奨移動パターンや推奨売場配置を提示することで、ユーザによる購買額を増加させることができる。
【００７１】
［第３実施形態］
次に、本発明の第３実施形態に係る情報処理装置について説明する。本実施形態に係る情報処理装置は、上記第２実施形態と比べると、下位の移動パターンテーブルを生成して、上位の移動パターンテーブルとの分岐位置から推奨移動パターンや推奨売場配置を生成する点で異なる。その他の構成および動作は、第２実施形態と同様であるため、同じ構成および動作については同じ符号を付してその詳しい説明を省略する。
【００７２】
すなわち、蓄積された移動履歴と購買結果とを統計処理することによって、購買に結び付かないユーザの移動パターンを生成する。そして、購買に結び付くユーザの移動パターンと購買に結び付かないユーザの移動パターンとを参照して、ユーザの移動履歴中の、購買に結び付くか結び付かないかの分岐位置を抽出する。
【００７３】
（下位の移動パターンテーブル）
図１２Ａは、本実施形態に係る下位（ワースト）の移動パターンテーブル３５１ｃの生成を示す図である。下位の移動パターンテーブル３５１ｃは、ユーザ履歴蓄積データベース３１３に蓄積されたユーザ単位の履歴データから、ゼロを含む精算額（購買金額）が少ない順に、その店舗内の移動履歴と購買履歴とを関連付けて、その関連性から高額購買者の移動パターンを解析するために使用される。なお、目的の売場への往復や特売品の売場への往復などの移動履歴は、移動パターンの解析から省いた方が望ましい。
【００７４】
下位の移動パターンテーブル３５１ｃは、下位購買者の移動購買パターンテーブル１２１０と、下位購買者の移動パターンの解析結果テーブル１２２０と、を含む。
【００７５】
移動購買パターンテーブル１２１０は、精算額１２１１の下位からの昇順で所定数に対して、ユーザ移動購買履歴９１２と、日時曜日９１３と、環境情報（天気を含む）９１４と、を記憶する。ここで、ユーザ移動購買履歴９１２は、ユーザ履歴蓄積データベース３１３に蓄積されたユーザ移動履歴７０４とユーザ購買履歴とをユーザ単位で統合したものである。
【００７６】
解析結果テーブル１２２０は、少額購買パターンＩＤ１２２１として、少額購買になるユーザの移動パターンを記憶する。本例では、ユーザが第ｉエリアを最初に立ち寄らない場合が、少額購買になると解析される。
【００７７】
なお、上記解析例は、単純な一例であって、例えば、万を超えるユーザの移動履歴と購買履歴との解析から、十分に少額購買になるユーザの移動パターンが解析される。
【００７８】
（推奨移動パターンの生成）
図１２Ｂは、本実施形態に係る変更条件テーブル１２５０の生成を示す図である。変更条件テーブル１２５０は、上述の高額購買の移動パターンを示す解析結果テーブル９２０と、少額購買の移動パターンを示す解析結果テーブル１２２０とを比較解析する。そして、解析結果テーブル９２０と解析結果テーブル１２２０とを分岐させた条件、および、その分岐条件に基づいて高額購買にシフトするための条件（ユーザの移動パターンや売場配置、特典サービスなど）を提示するために使用される。
【００７９】
変更条件テーブル１２５０は、購買分岐条件１２５１と、売場配置条件１２５２と、を含む。例えば、本例では、購買分岐条件１２５１には、最初に立ち寄る売場が第ｉエリアの売場か否かが分岐条件として抽出される。売場配置条件１２５２には、例えば、ユーザを最初に第ｉエリアの売場に誘導する配置、あるいは、最初に第ｉエリアの売場に誘導するための特典（クーポンなど）の提供が提示される。
【００８０】
なお、上記提示例は、単純な一例であって、例えば、万を超えるユーザの移動履歴と購買履歴との解析から、十分に購買分岐条件を抽出可能であり、売場配置条件などの提示が可能である。また、図１２Ｂでは、購買分岐条件を売場配置条件として提示した。しかし、購買分岐条件を考慮した購買増加を実現する方法としては、売場配置は変更せずあるいは変更を最小限に抑え、特売品の配置や通路の変更、あるいは、特典（クーポンなど）により、購買分岐条件を満たしユーザを推奨移動パターンに誘導することによっても実現できる。
【００８１】
（移動パターン解析処理）
図１３は、本実施形態に係る移動パターン解析処理（Ｓ１１１７）の手順を示すフローチャートである。なお、図１３において、図１１Ｂと同様のステップには同じステップ番号を付して、重複する説明を省略する。
【００８２】
情報処理装置３１０は、ステップＳ１３２５において、少額購買ユーザの移動パターンを統計的に解析し、下位のユーザの移動パターンを生成する。情報処理装置３１０は、ステップＳ１３２７において、高額購買ユーザの移動パターンと少額購買ユーザの移動パターンとを比較解析して、購買分岐条件１２５１を抽出する。そして、情報処理装置３１０は、ステップＳ１３２９において、購買分岐条件１２５１を参照して、売場配置条件、または、ユーザ誘導特典を提示する。
【００８３】
本実施形態によれば、高額購買ユーザの移動パターンと少額購買ユーザの移動パターンとの分岐条件を抽出するので、店舗に来店するユーザによる購買増加の計画を効率的に生成することができる。
【００８４】
［第４実施形態］
次に、本発明の第４実施形態に係る情報処理装置について説明する。本実施形態に係る情報処理装置は、上記第２実施形態および第３実施形態と比べると、店舗内に特定の商品陳列を行なってユーザの移動履歴および購買結果を収集することで、ユーザの移動パターンを解析する点で異なる。例えば、定番品を企画棚に「寄せて」陳列した場合に、これに呼応し購買する顧客層と購買する曜日や時間帯を解析し、曜日や時間帯による推奨移動パターンおよび推奨売場配置を提示する。その他の構成および動作は、第２実施形態または第３実施形態と同様であるため、同じ構成および動作については同じ符号を付してその詳しい説明を省略する。
【００８５】
（ユーザ履歴蓄積データベース）
図１４は、本実施形態に係るユーザ履歴蓄積データベース１４１３の構成を示す図である。なお、図１４において、図７と同様の構成要素には同じ参照番号を付して、重複する説明を書略する。
【００８６】
ユーザ履歴蓄積データベース１４１３は、店舗内の特定の商品陳列を識別する特定陳列１４０１に対応付けて、ユーザの移動履歴と購買結果を収集する。特定陳列１４０１には、陳列日時と、陳列品を識別する陳列品ＩＤと、陳列品売場とを含む。
【００８７】
本実施形態によれば、店舗内に特定の商品陳列を行なうことにより移動パターンを絞った解析ができるので、ユーザの推奨移動パターンおよび推奨売場配置をより細やかに提示することができる。
【００８８】
［第５実施形態］
次に、本発明の第５実施形態に係る情報処理装置について説明する。本実施形態に係る情報処理装置は、上記第２実施形態乃至第４実施形態と比べると、催し物におけるユーザの移動履歴および購買結果を収集することで、ユーザの移動パターンを解析する点で異なる。例えば、特売日に特売品と同一部門の定番品を多く購買する顧客の店内動線の解析と予測から、推奨移動パターンおよび推奨特売品配置を提示する。その他の構成および動作は、第２実施形態から第４実施形態と同様であるため、同じ構成および動作については同じ符号を付してその詳しい説明を省略する。
【００８９】
（ユーザ履歴蓄積データベース）
図１５は、本実施形態に係るユーザ履歴蓄積データベース１５１３の構成を示す図である。なお、図１５において、図７と同様の構成要素には同じ参照番号を付して、重複する説明を書略する。
【００９０】
ユーザ履歴蓄積データベース１５１３は、特売品１５０１に対応付けて、ユーザの移動履歴と購買結果を収集する。特売品１５０１には、特売日時と、特売品を識別する特売品ＩＤと、特売品売場とを含む。
【００９１】
本実施形態によれば、催し物に絞ったユーザの移動履歴および購買結果の解析ができるので、催し物におけるユーザの推奨移動パターンおよび推奨売場配置を提示することができる。
【００９２】
［他の実施形態］
以上、実施形態を参照して本願発明を説明したが、本願発明は上記実施形態に限定されるものではない。本願発明の構成や詳細には、本願発明のスコープ内で当業者が理解し得る様々な変更をすることができる。また、それぞれの実施形態に含まれる別々の特徴を如何様に組み合わせたシステムまたは装置も、本発明の範疇に含まれる。
【００９３】
また、本発明は、複数の機器から構成されるシステムに適用されてもよいし、単体の装置に適用されてもよい。さらに、本発明は、実施形態の機能を実現する情報処理プログラムが、システムあるいは装置に直接あるいは遠隔から供給される場合にも適用可能である。したがって、本発明の機能をコンピュータで実現するために、コンピュータにインストールされるプログラム、あるいはそのプログラムを格納した媒体、そのプログラムをダウンロードさせるＷＷＷ(World Wide Web)サーバも、本発明の範疇に含まれる。特に、少なくとも、上述した実施形態に含まれる処理ステップをコンピュータに実行させるプログラムを格納した非一時的コンピュータ可読媒体（non-transitory computer readable medium）は本発明の範疇に含まれる。
【図１】
2018067092.tif 000003
【図２】
2018067092.tif 000004
【図３】
2018067092.tif 000005
【図４】
2018067092.tif 000006
【図５】
2018067092.tif 000007
【図６】
2018067092.tif 000008
【図７】
2018067092.tif 000009
【図８】
2018067092.tif 000010
【図９Ａ】
2018067092.tif 000011
【図９Ｂ】
2018067092.tif 000012
【図９Ｃ】
2018067092.tif 000013
【図１０】
2018067092.tif 000014
【図１１Ａ】
2018067092.tif 000015
【図１１Ｂ】
2018067092.tif 000016
【図１２Ａ】
2018067092.tif 000017
【図１２Ｂ】
2018067092.tif 000018
【図１３】
2018067092.tif 000019
【図１４】
2018067092.tif 000020
【図１５】
2018067092.tif 000021
【手続補正書】
【提出日】平成28年12月22日(2016.12.22)
【手続補正１】
【補正対象書類名】特許請求の範囲
【補正対象項目名】全文
【補正方法】変更
【補正の内容】
【特許請求の範囲】
【請求項１】
ユーザが携帯する通信機器から、前記ユーザを識別するユーザ識別子および前記通信機器が受信した近距離通信信号に含まれる信号識別子の履歴を受信して、前記ユーザの移動履歴を生成する移動履歴生成手段と、
購買処理を行なう決済機器から、前記ユーザの購買処理に基づいて前記ユーザ識別子および購買データを受信して、前記ユーザの購買結果を生成する購買結果生成手段と、
前記ユーザ識別子に対応付けて、前記ユーザの移動履歴と前記ユーザの購買結果とを蓄積するユーザ履歴蓄積手段と、
を備える情報処理装置。
【請求項２】
前記ユーザ履歴蓄積手段に蓄積された移動履歴と購買結果とを統計処理することによって、購買に結び付くユーザの移動パターンを生成する移動パターン生成手段、をさらに備える請求項１に記載の情報処理装置。
【請求項３】
前記移動パターン生成手段は、前記統計処理によって移動履歴と購買結果との関連性を生成し、前記関連性に基づいて、購買に結び付くユーザの移動パターンを生成する、請求項２に記載の情報処理装置。
【請求項４】
前記ユーザ識別子に対応付けて、少なくとも前記ユーザの属性を格納する属性格納手段を更に備え、
前記移動パターン生成手段は、前記属性格納手段に格納されたユーザの属性に応じて、購買に結び付くユーザの移動パターンを生成する、請求項２または３に記載の情報処理装置。
【請求項５】
前記ユーザ履歴蓄積手段は、前記ユーザの移動履歴と前記ユーザの購買結果とを、店舗内における特定の商品の陳列情報に対応付けて蓄積し、
前記移動パターン生成手段は、さらに前記陳列情報に応じて統計処理することによって、購買に結び付くユーザの移動パターンを生成する、請求項２乃至４のいずれか１項に記載の情報処理装置。
【請求項６】
前記ユーザ履歴蓄積手段は、前記ユーザの移動履歴と前記ユーザの購買結果とを、店舗における催し物情報に対応付けて蓄積し、
前記移動パターン生成手段は、さらに前記催し物情報に応じて統計処理することによって、購買に結び付くユーザの移動パターンを生成する、請求項２乃至５のいずれか１項に記載の情報処理装置。
【請求項７】
前記ユーザ履歴蓄積手段は、前記ユーザの移動履歴と前記ユーザの購買結果とを蓄積した日時をさらに記憶し、
前記移動パターン生成手段は、さらに前記日時に応じて統計処理することによって、購買に結び付くユーザの移動パターンを生成する、請求項２乃至６のいずれか１項に記載の情報処理装置。
【請求項８】
前記ユーザ履歴蓄積手段は、前記ユーザの移動履歴と前記ユーザの購買結果とを蓄積した日時の天候を含む環境情報をさらに記憶し、
前記移動パターン生成手段は、さらに前記環境情報に応じて統計処理することによって、購買に結び付くユーザの移動パターンを生成する、請求項２乃至７のいずれか１項に記載の情報処理装置。
【請求項９】
前記移動パターン生成手段は、前記ユーザ履歴蓄積手段に蓄積された移動履歴と購買結果とを統計処理することによって、さらに、購買に結び付かないユーザの移動パターンを生成する、請求項２乃至８のいずれか１項に記載の情報処理装置。
【請求項１０】
前記移動パターン生成手段が生成した、購買に結び付くユーザの移動パターンと購買に結び付かないユーザの移動パターンとを参照して、ユーザの移動履歴中の、購買に結び付くか結び付かないかの分岐位置を抽出する抽出手段を、さらに備える請求項９に記載の情報処理装置。
【請求項１１】
ユーザが携帯する通信機器から、前記ユーザを識別するユーザ識別子および前記通信機器が受信した近距離通信信号に含まれる信号識別子の履歴を受信して、前記ユーザの移動履歴を生成する移動履歴生成ステップと、
購買処理を行なう決済機器から、前記ユーザの購買処理に基づいて前記ユーザ識別子および購買データを受信して、前記ユーザの購買結果を生成する購買結果生成ステップと、
前記ユーザ識別子に対応付けて、前記ユーザの移動履歴と前記ユーザの購買結果とをユーザ履歴蓄積手段に蓄積するユーザ履歴蓄積ステップと、
を含む情報処理方法。
【請求項１２】
ユーザが携帯する通信機器から、前記ユーザを識別するユーザ識別子および前記通信機器が受信した近距離通信信号に含まれる信号識別子の履歴を受信して、前記ユーザの移動履歴を生成する移動履歴生成ステップと、
購買処理を行なう決済機器から、前記ユーザの購買処理に基づいて前記ユーザ識別子および購買データを受信して、前記ユーザの購買結果を生成する購買結果生成ステップと、
前記ユーザ識別子に対応付けて、前記ユーザの移動履歴と前記ユーザの購買結果とをユーザ履歴蓄積手段に蓄積するユーザ履歴蓄積ステップと、
をコンピュータに実行させる情報処理プログラム。
【請求項１３】
店舗内に配置された近距離通信信号を発信する複数の発信機と、
ユーザが携帯する通信機器と、
前記店舗において購買処理を行なう決済機器と、
前記通信機器および前記決済機器と通信接続されて、前記近距離通信信号に基づいて前記店舗におけるユーザの移動パターンを分析する情報処理装置と、
を備える情報処理システムであって、
前記情報処理装置は、
前記通信機器から、前記ユーザを識別するユーザ識別子および前記通信機器が受信した前記近距離通信信号に含まれる信号識別子の履歴を受信して、前記ユーザの移動履歴を生成する移動履歴生成手段と、
前記決済機器から、前記ユーザの購買処理に基づいて前記ユーザ識別子および購買データを受信して、前記ユーザの購買結果を生成する購買結果生成手段と、
前記ユーザ識別子に対応付けて、前記ユーザの移動履歴と前記ユーザの購買結果とを蓄積するユーザ履歴蓄積手段と、
前記ユーザ識別子に対応付けて、少なくとも前記ユーザの属性を格納する属性格納手段と、
前記属性格納手段に格納されたユーザの属性に応じて、前記ユーザ履歴蓄積手段に蓄積された移動履歴と購買結果とを統計処理することによって、購買に結び付くユーザの移動パターンを生成する移動パターン生成手段と、
を有する情報処理システム。
【手続補正書】
【提出日】平成29年4月24日(2017.4.24)
【手続補正１】
【補正対象書類名】特許請求の範囲
【補正対象項目名】全文
【補正方法】変更
【補正の内容】
【特許請求の範囲】
【請求項１】
ユーザが携帯する通信機器から、前記ユーザを識別するユーザ識別子および前記通信機器が受信した近距離通信信号に含まれる信号識別子の履歴を受信して、前記ユーザの移動履歴を生成する移動履歴生成手段と、
購買処理を行なう決済機器から、前記ユーザの購買処理に基づいて前記ユーザ識別子および購買データを受信して、前記ユーザの購買結果を生成する購買結果生成手段と、
前記ユーザ識別子に対応付けて、前記ユーザの移動履歴と前記ユーザの購買結果とを蓄積するユーザ履歴蓄積手段と、
前記ユーザ履歴蓄積手段に蓄積された移動履歴と購買結果とを統計処理することによって、購買に結び付くユーザの移動パターンと購買に結び付かないユーザの移動パターンとを生成する移動パターン生成手段と、
前記移動パターン生成手段が生成した、購買に結び付くユーザの移動パターンと購買に結び付かないユーザの移動パターンとを参照して、ユーザの移動履歴中の、購買に結び付くか結び付かないかの分岐位置を抽出する抽出手段と、
を備える情報処理装置。
【請求項２】
前記移動パターン生成手段は、前記統計処理によって移動履歴と購買結果との関連性を生成し、前記関連性に基づいて、購買に結び付くユーザの移動パターンを生成する、請求項１に記載の情報処理装置。
【請求項３】
前記ユーザ識別子に対応付けて、少なくとも前記ユーザの属性を格納する属性格納手段を更に備え、
前記移動パターン生成手段は、前記属性格納手段に格納されたユーザの属性に応じて、購買に結び付くユーザの移動パターンを生成する、請求項１または２に記載の情報処理装置。
【請求項４】
前記ユーザ履歴蓄積手段は、前記ユーザの移動履歴と前記ユーザの購買結果とを、店舗内における特定の商品の陳列情報に対応付けて蓄積し、
前記移動パターン生成手段は、さらに前記陳列情報に応じて統計処理することによって、購買に結び付くユーザの移動パターンを生成する、請求項１乃至３のいずれか１項に記載の情報処理装置。
【請求項５】
前記ユーザ履歴蓄積手段は、前記ユーザの移動履歴と前記ユーザの購買結果とを、店舗における催し物情報に対応付けて蓄積し、
前記移動パターン生成手段は、さらに前記催し物情報に応じて統計処理することによって、購買に結び付くユーザの移動パターンを生成する、請求項１乃至４のいずれか１項に記載の情報処理装置。
【請求項６】
前記ユーザ履歴蓄積手段は、前記ユーザの移動履歴と前記ユーザの購買結果とを蓄積した日時をさらに記憶し、
前記移動パターン生成手段は、さらに前記日時に応じて統計処理することによって、購買に結び付くユーザの移動パターンを生成する、請求項１乃至５のいずれか１項に記載の情報処理装置。
【請求項７】
前記ユーザ履歴蓄積手段は、前記ユーザの移動履歴と前記ユーザの購買結果とを蓄積した日時の天候を含む環境情報をさらに記憶し、
前記移動パターン生成手段は、さらに前記環境情報に応じて統計処理することによって、購買に結び付くユーザの移動パターンを生成する、請求項１乃至６のいずれか１項に記載の情報処理装置。
【請求項８】
ユーザが携帯する通信機器から、前記ユーザを識別するユーザ識別子および前記通信機器が受信した近距離通信信号に含まれる信号識別子の履歴を受信して、前記ユーザの移動履歴を生成する移動履歴生成ステップと、
購買処理を行なう決済機器から、前記ユーザの購買処理に基づいて前記ユーザ識別子および購買データを受信して、前記ユーザの購買結果を生成する購買結果生成ステップと、
前記ユーザ識別子に対応付けて、前記ユーザの移動履歴と前記ユーザの購買結果とをユーザ履歴蓄積手段に蓄積するユーザ履歴蓄積ステップと、
前記ユーザ履歴蓄積手段に蓄積された移動履歴と購買結果とを統計処理することによって、購買に結び付くユーザの移動パターンと購買に結び付かないユーザの移動パターンとを生成する移動パターン生成ステップと、
前記移動パターン生成ステップにおいて生成された、購買に結び付くユーザの移動パターンと購買に結び付かないユーザの移動パターンとを参照して、ユーザの移動履歴中の、購買に結び付くか結び付かないかの分岐位置を抽出する抽出ステップと、
を含む情報処理方法。
【請求項９】
ユーザが携帯する通信機器から、前記ユーザを識別するユーザ識別子および前記通信機器が受信した近距離通信信号に含まれる信号識別子の履歴を受信して、前記ユーザの移動履歴を生成する移動履歴生成ステップと、
購買処理を行なう決済機器から、前記ユーザの購買処理に基づいて前記ユーザ識別子および購買データを受信して、前記ユーザの購買結果を生成する購買結果生成ステップと、
前記ユーザ識別子に対応付けて、前記ユーザの移動履歴と前記ユーザの購買結果とをユーザ履歴蓄積手段に蓄積するユーザ履歴蓄積ステップと、
前記ユーザ履歴蓄積手段に蓄積された移動履歴と購買結果とを統計処理することによって、購買に結び付くユーザの移動パターンと購買に結び付かないユーザの移動パターンとを生成する移動パターン生成ステップと、
前記移動パターン生成ステップにおいて生成された、購買に結び付くユーザの移動パターンと購買に結び付かないユーザの移動パターンとを参照して、ユーザの移動履歴中の、購買に結び付くか結び付かないかの分岐位置を抽出する抽出ステップと、
をコンピュータに実行させる情報処理プログラム。
【請求項１０】
店舗内に配置された近距離通信信号を発信する複数の発信機と、
ユーザが携帯する通信機器と、
前記店舗において購買処理を行なう決済機器と、
前記通信機器および前記決済機器と通信接続されて、前記近距離通信信号に基づいて前記店舗におけるユーザの移動パターンを分析する情報処理装置と、
を備える情報処理システムであって、
前記情報処理装置は、
前記通信機器から、前記ユーザを識別するユーザ識別子および前記通信機器が受信した前記近距離通信信号に含まれる信号識別子の履歴を受信して、前記ユーザの移動履歴を生成する移動履歴生成手段と、
前記決済機器から、前記ユーザの購買処理に基づいて前記ユーザ識別子および購買データを受信して、前記ユーザの購買結果を生成する購買結果生成手段と、
前記ユーザ識別子に対応付けて、前記ユーザの移動履歴と前記ユーザの購買結果とを蓄積するユーザ履歴蓄積手段と、
前記ユーザ履歴蓄積手段に蓄積された移動履歴と購買結果とを統計処理することによって、購買に結び付くユーザの移動パターンと購買に結び付かないユーザの移動パターンとを生成する移動パターン生成手段と、
前記移動パターン生成手段が生成した、購買に結び付くユーザの移動パターンと購買に結び付かないユーザの移動パターンとを参照して、ユーザの移動履歴中の、購買に結び付くか結び付かないかの分岐位置を抽出する抽出手段と、
を有する情報処理システム。
【手続補正２】
【補正対象書類名】明細書
【補正対象項目名】０００６
【補正方法】変更
【補正の内容】
【０００６】
上記目的を達成するため、本発明に係る情報処理装置は、
ユーザが携帯する通信機器から、前記ユーザを識別するユーザ識別子および前記通信機器が受信した近距離通信信号に含まれる信号識別子の履歴を受信して、前記ユーザの移動履歴を生成する移動履歴生成手段と、
購買処理を行なう決済機器から、前記ユーザの購買処理に基づいて前記ユーザ識別子および購買データを受信して、前記ユーザの購買結果を生成する購買結果生成手段と、
前記ユーザ識別子に対応付けて、前記ユーザの移動履歴と前記ユーザの購買結果とを蓄積するユーザ履歴蓄積手段と、
前記ユーザ履歴蓄積手段に蓄積された移動履歴と購買結果とを統計処理することによって、購買に結び付くユーザの移動パターンと購買に結び付かないユーザの移動パターンとを生成する移動パターン生成手段と、
前記移動パターン生成手段が生成した、購買に結び付くユーザの移動パターンと購買に結び付かないユーザの移動パターンとを参照して、ユーザの移動履歴中の、購買に結び付くか結び付かないかの分岐位置を抽出する抽出手段と、
を備える。
【手続補正３】
【補正対象書類名】明細書
【補正対象項目名】０００７
【補正方法】変更
【補正の内容】
【０００７】
上記目的を達成するため、本発明に係る情報処理方法は、
ユーザが携帯する通信機器から、前記ユーザを識別するユーザ識別子および前記通信機器が受信した近距離通信信号に含まれる信号識別子の履歴を受信して、前記ユーザの移動履歴を生成する移動履歴生成ステップと、
購買処理を行なう決済機器から、前記ユーザの購買処理に基づいて前記ユーザ識別子および購買データを受信して、前記ユーザの購買結果を生成する購買結果生成ステップと、
前記ユーザ識別子に対応付けて、前記ユーザの移動履歴と前記ユーザの購買結果とをユーザ履歴蓄積手段に蓄積するユーザ履歴蓄積ステップと、
前記ユーザ履歴蓄積手段に蓄積された移動履歴と購買結果とを統計処理することによって、購買に結び付くユーザの移動パターンと購買に結び付かないユーザの移動パターンとを生成する移動パターン生成ステップと、
前記移動パターン生成ステップにおいて生成された、購買に結び付くユーザの移動パターンと購買に結び付かないユーザの移動パターンとを参照して、ユーザの移動履歴中の、購買に結び付くか結び付かないかの分岐位置を抽出する抽出ステップと、
を含む。
【手続補正４】
【補正対象書類名】明細書
【補正対象項目名】０００８
【補正方法】変更
【補正の内容】
【０００８】
上記目的を達成するため、本発明に係る情報処理プログラムは、
ユーザが携帯する通信機器から、前記ユーザを識別するユーザ識別子および前記通信機器が受信した近距離通信信号に含まれる信号識別子の履歴を受信して、前記ユーザの移動履歴を生成する移動履歴生成ステップと、
購買処理を行なう決済機器から、前記ユーザの購買処理に基づいて前記ユーザ識別子および購買データを受信して、前記ユーザの購買結果を生成する購買結果生成ステップと、
前記ユーザ識別子に対応付けて、前記ユーザの移動履歴と前記ユーザの購買結果とをユーザ履歴蓄積手段に蓄積するユーザ履歴蓄積ステップと、
前記ユーザ履歴蓄積手段に蓄積された移動履歴と購買結果とを統計処理することによって、購買に結び付くユーザの移動パターンと購買に結び付かないユーザの移動パターンとを生成する移動パターン生成ステップと、
前記移動パターン生成ステップにおいて生成された、購買に結び付くユーザの移動パターンと購買に結び付かないユーザの移動パターンとを参照して、ユーザの移動履歴中の、購買に結び付くか結び付かないかの分岐位置を抽出する抽出ステップと、
をコンピュータに実行させる。
【手続補正５】
【補正対象書類名】明細書
【補正対象項目名】０００９
【補正方法】変更
【補正の内容】
【０００９】
上記目的を達成するため、本発明に係る情報処理システムは、
店舗内に配置された近距離通信信号を発信する複数の発信機と、
ユーザが携帯する通信機器と、
前記店舗において購買処理を行なう決済機器と、
前記通信機器および前記決済機器と通信接続されて、前記近距離通信信号に基づいて前記店舗におけるユーザの移動パターンを分析する情報処理装置と、
を備える情報処理システムであって、
前記情報処理装置は、
前記通信機器から、前記ユーザを識別するユーザ識別子および前記通信機器が受信した前記近距離通信信号に含まれる信号識別子の履歴を受信して、前記ユーザの移動履歴を生成する移動履歴生成手段と、
前記決済機器から、前記ユーザの購買処理に基づいて前記ユーザ識別子および購買データを受信して、前記ユーザの購買結果を生成する購買結果生成手段と、
前記ユーザ識別子に対応付けて、前記ユーザの移動履歴と前記ユーザの購買結果とを蓄積するユーザ履歴蓄積手段と、
前記ユーザ履歴蓄積手段に蓄積された移動履歴と購買結果とを統計処理することによって、購買に結び付くユーザの移動パターンと購買に結び付かないユーザの移動パターンとを生成する移動パターン生成手段と、
前記移動パターン生成手段が生成した、購買に結び付くユーザの移動パターンと購買に結び付かないユーザの移動パターンとを参照して、ユーザの移動履歴中の、購買に結び付くか結び付かないかの分岐位置を抽出する抽出手段と、
を有する。